(57)【特許請求の範囲】
【請求項１】
画像の撮影場所を示す位置情報が付与された画像を管理する画像管理装置であって、
前記位置情報に対応する地図データを情報処理装置に送信する送信手段と、
前記情報処理装置のユーザを識別する識別手段と、を備え、
前記送信手段は、前記識別手段により識別されたユーザに応じて異なる縮尺の地図データを前記情報処理装置へ送信し、
前記識別手段は、前記ユーザが、前記画像を前記情報処理装置に管理させるよう指示したユーザであるか否かを識別し、
前記識別手段により前記ユーザが前記画像を前記情報処理装置に管理させるよう指示したユーザでないと判断された前記情報処理装置へ前記送信手段が送信する地図データの縮尺は、前記識別手段により前記ユーザが前記画像を前記情報処理装置に管理させるよう指示したユーザであると判断された前記情報処理装置へ前記送信手段が送信する地図データの縮尺よりも小さいことを特徴とする画像管理装置。
【請求項２】
前記情報処理装置から、地図の縮尺を変更する指示を受け付ける受け付け手段を更に有し、
前記受け付け手段により、地図の縮尺を変更する指示を受け付けた場合、前記送信手段は、前記情報処理装置のユーザに関わらず、前記指示に応じた縮尺の地図データを前記情報処理装置に送信することを特徴とする請求項１に記載の画像管理装置。
【請求項３】
表示対象の画像の位置情報がすべて収まるように地図の縮尺の初期値を設定する設定手段をさらに有し、
前記設定手段は、前記ユーザが所定のユーザではないと識別された場合、前記初期値とは異なる値を地図の縮尺の初期値として再設定することを特徴とする請求項１または２に記載の画像管理装置。
【請求項４】
前記設定手段により再設定される前記初期値とは異なる値は、前記初期値よりも地図の縮尺が小さくなる値であることを特徴とする請求項３に記載の画像管理装置。
【請求項５】
前記設定手段は、前記地図データの縮尺の初期値と予め定められた比率を乗算することで前記縮尺の初期値を再設定することを特徴とする請求項３または４に記載の画像管理装置。
【請求項６】
前記識別手段は前記ユーザが所定のユーザであるか否かを識別し、
前記画像管理装置は、前記所定のユーザの情報処理装置からアップロードされた画像を管理することを特徴とする請求項１に記載の画像管理装置。
【請求項７】
地図データを要求する要求信号を前記情報処理装置から受信する受信手段を更に有し、
前記識別手段は、前記受信手段により受信された要求信号に基づき、前記情報処理装置のユーザを識別することを特徴とする請求項１乃至６のいずれか１項に記載の画像管理装置。
【請求項８】
前記識別手段は、前記情報処理装置に対応付けられるＩＰアドレスに基づき、前記情報処理装置のユーザを識別することを特徴とする請求項１乃至６のいずれか１項に記載の画像管理装置。
【請求項９】
前記識別手段は、前記情報処理装置から送信されるユーザＩＤに基づき、前記情報処理装置のユーザを識別することを特徴とする請求項１乃至６のいずれか１項に記載の画像管理装置。
【請求項１０】
画像の撮影場所を示す位置情報が付与された画像を管理する画像管理装置の制御方法であって、
情報処理装置のユーザを識別する識別工程と、
前記識別工程において識別されたユーザに応じて異なる縮尺の地図データを前記情報処理装置へ送信する送信工程と、を有し、
前記送信工程では、前記識別工程により識別されたユーザに応じて異なる縮尺の地図データを前記情報処理装置へ送信し、
前記識別工程では、前記ユーザが、前記画像を前記情報処理装置に管理させるよう指示したユーザであるか否かを識別し、
前記識別工程において前記ユーザが前記画像を前記情報処理装置に管理させるよう指示したユーザでないと判断された前記情報処理装置へ送信する地図データの縮尺は、前記識別工程において前記ユーザが前記画像を前記情報処理装置に管理させるよう指示したユーザであると判断された前記情報処理装置へ送信する地図データの縮尺よりも小さいことを特徴とする制御方法。
【請求項１１】
コンピュータを、請求項１乃至９のいずれか１項に記載された画像管理装置の各手段として機能させるためのプログラム。
【発明の詳細な説明】
【技術分野】
【０００１】
本発明は、画像の撮影場所を地図上にレイアウトする画像管理技術に関する。
【背景技術】
【０００２】
従来、ＧＰＳ機能を搭載したデジタルカメラで撮影された画像を撮影場所とともに記録し、画像の撮影場所を地図上に表示することが行われている（例えば、特許文献１参照）。
【先行技術文献】
【特許文献】
【０００３】
【特許文献１】特開２０１０−０８６０３９号公報
【発明の概要】
【発明が解決しようとする課題】
【０００４】
画像の撮影場所を地図上に表示する際、撮影者はその画像を撮影するために撮影場所周辺を訪問しているはずなので、周辺の地理を詳しく確認したいときなど、地図の縮尺を大きくして見たいという要望がある。一方で、撮影者以外の者は、撮影場所を全く知らない場合に、縮尺の大きな地図を最初に見ると、その場所が一体どこなのか見当もつかないことがあり、撮影者以外の者にとっては地図の縮尺を小さくして、広い範囲を表示することが望ましい。
【０００５】
本発明は、上記課題に鑑みてなされ、その目的は、画像の撮影場所を地図上に表示する際、閲覧者に応じて適切な縮尺の地図を表示し、閲覧者が撮影場所を地図上で把握し易くする画像管理技術を実現することである。
【課題を解決するための手段】
【０００６】
上記課題を解決し、目的を達成するために、本発明の画像管理装置は、画像の撮影場所を示す位置情報が付与された画像を管理する画像管理装置であって、前記位置情報に対応する地図データを情報処理装置に送信する送信手段と、前記情報処理装置のユーザを識別する識別手段と、を備え、前記送信手段は、前記識別手段により識別されたユーザに応じて異なる縮尺の地図データを前記情報処理装置へ送信し、前記識別手段は、前記ユーザが、前記画像を前記情報処理装置に管理させるよう指示したユーザであるか否かを識別し、前記識別手段により前記ユーザが前記画像を前記情報処理装置に管理させるよう指示したユーザでないと判断された前記情報処理装置へ前記送信手段が送信する地図データの縮尺は、前記識別手段により前記ユーザが前記画像を前記情報処理装置に管理させるよう指示したユーザであると判断された前記情報処理装置へ前記送信手段が送信する地図データの縮尺よりも小さい。
【発明の効果】
【０００７】
本発明によれば、閲覧者に応じて適切な縮尺の地図を表示し、閲覧者が撮影場所を地図上で把握し易くすることができる。
【図面の簡単な説明】
【０００８】
【図１】本発明に係る実施形態の画像管理装置の構成を示すブロック図。
【図２】本実施形態の画像管理装置と地図管理装置とユーザＰＣを含むシステムの構成を示す図。
【図３】本実施形態の画像管理装置が生成するＷｅｂページをＷｅｂブラウザが表示する例を示す図。
【図４】本実施形態の画像管理装置が画像とアルバムを管理するために参照するデータベースを例示する図。
【図５】本実施形態の画像管理装置の動作を示すフローチャート。
【図６】本実施形態の画像管理装置が生成するＷｅｂページをＷｅｂブラウザが表示する例を示す図。
【図７】本実施形態の画像管理装置が生成するＷｅｂページをＷｅｂブラウザが表示する例を示す図。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１０】
［実施形態１］以下、本発明の画像管理装置を、例えばオンラインアルバムサイトのサーバコンピュータ、地図管理装置を、例えば地図データを提供する地図データサービスサイトのサーバコンピュータにより実現した実施形態について説明する。
【００１１】
＜システム構成＞先ず、図１及び図２を参照して、本発明に係る実施形態の画像管理装置の構成並びに画像管理装置と地図管理装置とユーザＰＣを含むシステムの構成について説明する。
【００１２】
図２において、本実施形態のシステムは、画像管理装置１００と地図管理装置２０１とＰＣ２０２、２０３を含む。
【００１３】
地図管理装置２０１は、様々な縮尺の世界地図データを保有し、画像管理装置１００に世界地図データを提供する。画像管理装置１００はインターネット２０４を介して地図管理装置２０１に緯度、経度、縮尺、表示領域の大きさなどの情報を送信して、対応する地図データを取得する。なお、インターネット２０４はLocal Area Network（ＬＡＮ）等の他のネットワークであってもよいし、公衆回線網などを含んで構成されてもよい。
【００１４】
ＰＣ２０２やＰＣ２０３は撮影者やゲストなどのユーザが利用するパーソナルコンピュータである。ＰＣ２０２やＰＣ２０３はＷｅｂブラウザを起動し、インターネット２０４を介して画像管理装置１００が生成するＷｅｂページにアクセスする。ここで、ＰＣ２０２は撮影者が操作し、ＰＣ２０３はゲストが操作するものとする。
【００１５】
撮影者のＰＣ２０２は画像管理装置１００のＷｅｂページにアクセスして、撮影者により撮影された画像を画像管理装置１００にアップロードする。画像管理装置１００は、撮影者のＰＣ２０２からの指示に従って、保管された画像をグループ分けして複数のアルバムに整理したり、アルバムのアクセスに用いる共有ＵＲＬを撮影者のＰＣ２０２の指示にしたがって許可されたゲストに電子メール等で通知する。通知を受けたゲストのＰＣ２０３は、通知された共有ＵＲＬに対応するＷｅｂページにアクセスすることにより、アルバムに含まれる画像を取得し、ディスプレイに表示する。
【００１６】
＜装置構成＞図１（ａ）は、本実施形態のシステムを構成する画像管理装置１００、地図管理装置２０１、ＰＣ２０２、２０３などの情報処理装置を実現するコンピュータ装置の構成を例示している。
【００１７】
図１において、１０１はコンピュータ装置全体を制御する制御部であり、例えばＣＰＵ（中央演算処理装置）である。１０２は変更を必要としないプログラムやパラメータを格納する不揮発性メモリとしてのＲＯＭである。１０３は外部装置などから供給されるプログラムやデータを一時記憶する揮発性メモリとしてのＲＡＭである。１０４は装置に固定して設置されたハードディスクやメモリカード、あるいは装置に対して着脱可能なフロッピー（登録商標）ディスク、ＭＯ、ＣＤ／ＤＶＤ、ＵＳＢメモリなどの磁気や光ディスク、磁気や光カード、ＩＣカードなどを含む外部記憶装置である。１０５はコンピュータ装置の管理者の操作を受け、データを入力するポインティングデバイスやキーボードなどの入力デバイスとのインターフェイスである。１０６はコンピュータ装置の保持するデータや供給されたデータを表示するためのディスプレイとのインターフェイスである。１０７はインターネットなどのネットワーク回線に接続するためのネットワークインタフェイスである。１０８は１０１〜１０７の各ユニットを通信可能に接続するシステムバスである。
【００１８】
制御部１０１は、ＯＳや各種アプリケーションプログラムをＲＯＭ１０２やＲＡＭ１０３や外部記憶装置１０４から読み出し、これらを起動して以下に述べる処理を実行する。
【００１９】
なお、画像管理装置１００の外部記憶装置１０４には、撮影者のＰＣ２０２からアップロードされた画像ファイルがアルバムに関連付けて記憶されている。地図管理装置２０１の外部記憶装置１０４には、複数の縮尺の世界地図データが記憶されている。撮影者のＰＣ２０２の外部記憶装置１０４には、デジタルカメラなどの撮像装置から取り込まれた画像ファイルが記憶されている。
【００２０】
また、画像管理装置１００の外部記憶装置１０４には画像管理アプリケーションソフトウェアプログラム、地図管理装置２０１の外部記憶装置１０４には地図管理アプリケーションソフトウェアプログラムがそれぞれ記憶されている。ＰＣ２０２および２０３の外部記憶装置１０４にはＷｅｂブラウザプログラムが記憶されている。
【００２１】
＜画面表示例＞図３は、本実施形態の画像管理装置１００が生成するＷｅｂページをＷｅｂブラウザにより表示し、撮影者のＰＣ２０２のＷｅｂブラウザのウィンドウ内に表示される画面を例示している。
【００２２】
図３において、３０１はアルバムに関する操作を指示するためのボタンである。例えば、撮影者が「アルバム共有」ボタンをクリックすると、画像管理装置１００はアルバムの表示をゲストに許可する状態に変更し、アルバムのアクセスに用いる共有ＵＲＬをゲストに通知するための電子メールを配信することができる。
【００２３】
３０２は画像の表示方法を選択するためのボタンであり、撮影者が「地図表示」を選択すると、画像管理装置１００はアルバムに含まれる、すなわち表示対象の複数の画像ファイルの撮影場所を取得し、図３に示すように地図上に表示する。
【００２４】
３１０はアルバムに含まれる画像のサムネイル３１１が表示される領域である。
【００２５】
３２０はアルバムに対応した地図が表示される領域である。アルバムに含まれる画像に付与された位置情報が地図の上にマーカ３２３として表示される。なお、撮影場所を付与された画像が１つもない場合は地図も表示されない。
【００２６】
３２１は地図表示領域３２０に表示される地図の縮尺を変更するためのコントローラである。
【００２７】
３２２は地図表示領域３２０に現在表示されている地図の範囲をアルバムと対応付けて保存する指示をするためのボタンである。ゲストのＰＣ２０３に地図データを表示する際の地図範囲の初期値として使われる。また、撮影者のＰＣ２０２が次回に同じアルバムを地図で表示する際の初期値としても使われる。
【００２８】
ユーザがボタン３０２で「一覧表示」を選択すると、サムネイル表示領域３１０が広くなり、地図表示領域３２０は表示されない。
【００２９】
図６は、ゲストのＰＣ２０３のＷｅｂブラウザのウィンドウ内に表示される画面６００を例示している。
【００３０】
図３の画面３００における地図表示領域３２０と比較すると、画面６００の地図表示領域６２０の縮尺は小さな値になっており、より広域の地図が表示されている。なお、画面３００のようなアルバム編集やアルバム共有、アルバム一覧等のボタンは、画面６００には表示されない。
【００３１】
図４は、本実施形態の画像管理装置１００が画像ファイルをアルバムに分類して管理するために使用するデータベースの一部を示すテーブルである。
【００３２】
図４（ａ）は、画像管理装置１００が画像を管理するために使用するデータベース４０１の一部を示す表であり、画像管理装置１００は、保管している画像ファイルのパスや、画像から生成したサムネイルのパスなどの情報を画像単位で格納する。
【００３３】
ＧＰＳ機能が搭載されたカメラで撮影された画像など、メタデータとして位置情報を保持している場合は、画像管理装置１００は画像から緯度と経度の情報を抽出して撮影場所として格納する。
【００３４】
図４（ｂ）は、画像管理装置１００がアルバムを管理するために使用するデータベース４０２の一部を示すテーブルである。
【００３５】
画像管理装置１００は、アルバムに関する情報をアルバム単位でデータベース４０２に格納する。ゲストへの表示が許可されているか否かの共有フラグや、ゲストのＰＣ２０３がＷｅｂブラウザを使ってアルバムにアクセスする際に用いる共有ＵＲＬなどの情報をデータベース４０２に格納する。本実施形態では、ゲストへの表示が許可されている時に共有フラグの値が１になるものとする。また、画像管理装置１００は、アルバムを一意に特定するアルバムＩＤ、アルバムの所有者を一意に識別するユーザＩＤ、アルバムに属する画像数、アルバムに属する画像に固有の画像ＩＤもデータベース４０２に格納する。なお、本実施形態では、アルバムは１人の撮影者が撮影した画像を含み、撮影者がアルバム所有者である場合について説明する。しかし、アルバムは複数人の撮影者が撮影した画像を含むことが可能であり、その場合、撮影者のうちの１人が代表してアルバム所有者となる。また、撮影者が撮影した画像を譲り受けたユーザが画像をアップロードし、アルバム所有者となる場合もある。よって、以下で説明する撮影者はアルバム所有者に置き換えても同様に本発明を実現できる。
【００３６】
また、画像管理装置１００が地図データを含むＷｅｂページを生成する際には、表示する地図範囲の情報として中心位置の緯度経度および縮尺を必要に応じデータベース４０２に格納する。縮尺はレベル値で保持し、例えば、１／７５０は１、１／１５００は２、１／３０００は３、１／６０００は４というように、大きな縮尺値から順に対応させる。また、画像管理装置１００は撮影者が地図範囲の保存を指示したか否かのフラグもデータベース４０２に格納する。撮影者のＰＣ２０２が地図範囲の保存を指示すると、画像管理装置１００はこの時点の地図範囲の情報をアルバム管理データベース４０２に書き込み、地図保存フラグの値を１にする。
【００３７】
＜地図データの縮尺変更処理＞図５は、本実施形態の画像管理装置１００が地図データの縮尺を変更する処理を示している。なお、図５の処理は、画像管理装置１００の制御部１０１が、ＯＳや画像管理アプリケーションソフトウェアプログラムを外部記憶装置１０４から読み出し、実行することによって実現される。
【００３８】
図５において、まず、画像管理装置１００はアルバムの地図提供の要求を、ＰＣ２０２またはＰＣ２０３からネットワークを介して受け付ける。
【００３９】
ステップＳ５０１では、画像管理装置１００はアルバム管理データベース４０２に格納されている中心緯度と中心経度と縮尺を地図範囲の初期値として読み込む。図４（ｂ）のアルバムＩＤ１２３５７のアルバムの例では、緯度は４５．４３４４７１、経度は１２．３３９６１、縮尺は４となり、アルバムＩＤ１２３５８のアルバムの例では、中心緯度と中心経度と縮尺が格納されていないので初期値は未設定状態となる。
【００４０】
ステップＳ５０２では、画像管理装置１００はアルバム管理データベース４０２の地図保存フラグを参照して、地図範囲が保存されているか否かを判定する。アルバムＩＤ１２３５８のアルバムの例では、地図保存フラグの値が０であるため保存されていないと判定する。
【００４１】
ステップＳ５０２で地図範囲が保存されていると判定した場合は、後述のステップＳ５０８に進む。
【００４２】
一方、ステップＳ５０２で地図範囲が保存されていないと判定した場合は、ステップＳ５０３で画像管理装置１００は地図範囲の初期値を設定済みであるか否かを判定する。アルバムＩＤ１２３５８のアルバムの例では、前述のようにステップＳ５０１で設定されないため初期値は設定済みでないと判定する。
【００４３】
ステップＳ５０３で地図範囲の初期値を設定済みと判定すると、後述のステップＳ５０６に進む。
【００４４】
ステップＳ５０３で地図範囲を設定済みでないと判定すると、ステップＳ５０４で画像管理装置１００は地図範囲の初期値を計算する。
【００４５】
画像管理装置１００はアルバム管理データベース４０２の画像ＩＤと対応する情報を参照して、位置情報を保持しているアルバム内の全ての画像の緯度と経度を画像管理データベース４０１から読み取る。地図範囲の初期値としては、例えば、全画像の位置から中心にあたる緯度と経度を計算して地図の中心とし、縮尺は全ての位置が地図表示領域３２０内に収まるような最大の値を求める。縮尺については予め定めた固定値を適用する方法もある。
【００４６】
ステップＳ５０５では、画像管理装置１００はステップＳ５０４で計算した地図範囲の初期値をアルバム管理データベース４０２の中心緯度と中心経度と縮尺に格納する。
【００４７】
ステップＳ５０６では、画像管理装置１００はアルバム管理データベース４０２の共有ＵＲＬを参照して、アクセスに用いられたＵＲＬと一致するか否か、すなわち閲覧者がゲストであるか否かを判定する。アクセスに用いられたＵＲＬが共有ＵＲＬと一致していればゲストであると判定する。なお、撮影者のＰＣ２０２は、まず複数のアルバムの一覧を表示するＷｅｂページのアルバム一覧ＵＲＬを用いて画像管理装置１００にアクセスする。その後、その中から選択されたアルバムにリンクされたアルバムＵＲＬを用いて画像管理装置１００のアルバムのＷｅｂページにアクセスする。よって、ゲストでなく、撮影者の場合は、アクセスに用いられたＵＲＬは共有ＵＲＬと一致しない。
【００４８】
ステップＳ５０６でゲストＰＣ２０３からのアクセスではないと判定すると、後述のステップＳ５０８に進む。
【００４９】
ステップＳ５０６でゲストＰＣ２０３からのアクセスであると判定すると、ステップＳ５０７で画像管理装置１００は縮尺の初期値に一定の比率をかけて小さな値に変更する。
【００５０】
例えば一定の比率を１／２とした場合は、レベル２（１／１５００）の縮尺は１／３０００、つまりレベル３という小さな縮尺値に変更されることになる。あるいは、小さな縮尺値への変更方法として、縮尺を一定のレベル値だけ下げる方法もある。例えば一定のレベル値を２とした場合は、レベル２（１／１５００）の縮尺はレベル４（１／６０００）という小さな縮尺値に変更されることになる。いずれの変更方法でも、変更後の縮尺値が予め定めた値より小さくなってしまう場合は、変更前の初期値と予め定めた値のうち小さな方の値に変更するものとする。過度に広域な地図になることを防ぐためである。
【００５１】
あるいは、縮尺の初期値が予め定めた値より大きければ、この定められた固定値に常に変更するという方法もある。
【００５２】
これにより、撮影者が地図範囲を保存指示していなければ、ゲストが地図を閲覧する際の縮尺の初期値は撮影者が閲覧する際の初期値より小さな値となり、ゲストが過度に詳細な地図を閲覧しなくて済むようになる。
【００５３】
ステップＳ５０８では、画像管理装置１００は地図範囲の初期値とアルバム内の画像全ての緯度と経度と地図表示領域３２０の大きさを地図管理装置２０１に送信して、地図管理装置２０１から対応する地図データを取得する。この地図データには画像の撮影場所の緯度と経度に対応した位置にマーカ３２３も付されている。
【００５４】
画像管理装置１００は、図５のフローに従って取得した地図データに、３０１、３０２、３２１、３２２などのコントロールや、サムネイル表示領域３１０などを加えて、Ｗｅｂページを生成する。
【００５５】
なお、最初に地図が表示された後、撮影者だけでなく、ゲストもコントローラ３２１を操作することにより、所望の縮尺へ変更することができる。つまり、画像管理装置１００はゲストＰＣ２０３からも縮尺の変更指示を受け付け、新たな縮尺に対応した地図データを地図管理装置２０１から取得し、ゲストＰＣ２０３へ提供する。ここで、ゲストＰＣ２０３からの要求の場合、変更可能な縮尺の上限を設けるようにしてもよい。これにより、撮影場所の詳細が分かりにくくなるので、撮影者のプライバシーを保護することができる。
【００５６】
また一定時間後にＷｅｂブラウザが別のＷｅｂページを読み込むように記述されたＷｅｂページを配信することにより、画像管理装置１００がゲストのＰＣ２０３に提供する地図の縮尺を、一定時間後には撮影者のＰＣ２０２に提供するのと同じ縮尺の地図に切り換えるようにしてもよい。Ｗｅｂブラウザが表示する画面が、図６の状態から一定時間経つと図３の状態に変わるということである。
【００５７】
ここまで、ゲストのＰＣ２０３にはより広域の地図を提供する方法を説明してきたが、撮影者のＰＣ２０２に提供するのと同じ縮尺の地図上に小さな広域の地図を補助的に重ねる方法もある。この例を図７に示す。地図表示領域６２０には、図３に示した、撮影者が自分のアルバムを閲覧する時にＷｅｂブラウザが表示する地図と同じ縮尺の地図がメインに表示されている。
【００５８】
７００は縮尺を小さくした広域の地図である。７０１はメインに表示されている地図の範囲が広域地図７００のどの部分に相当するかを示す枠である。
【００５９】
前述した図５のステップＳ５０７で、変更後の小さな値を広域地図７００の縮尺とし、メインとなる地図の縮尺の初期値は変更しなければよい。
【００６０】
本実施形態では、ステップＳ５０６において、アクセスに用いられたＵＲＬの種別によって、提供する地図の縮尺を変更する方法を説明したが、撮影者以外を更に別の基準で区分してもよい。
【００６１】
例えば、画像管理装置１００はＰＣ２０２およびＰＣ２０３からのアクセスを受けると、ユーザＩＤを受信して最初にログイン認証を行い、ユーザを識別し、ユーザの属性によって縮尺を切り換えるようにしてもよい。具体的には、閲覧リクエストを受けたアルバムのユーザＩＤをデータベース４０２から取得し、ＰＣ２０２やＰＣ２０３から受信したユーザＩＤと比較し、比較結果に応じて縮尺を切り換える。すなわち、ＰＣ２０２やＰＣ２０３から受信したユーザＩＤがアルバム所有者のユーザＩＤと一致しなければ、縮尺の初期値を一致したときよりも小さな値に変更する。あるいは、撮影者は自分だけでなく、ゲストの個人情報を、家族や友人等のグループに分類して画像管理装置１００に予め記憶しておく。そして、画像管理装置１００はステップＳ５０６でアクセスしてきた装置のユーザが、本人および家族か、あるいは友人であるかを識別し、友人である場合に縮尺の初期値を小さな値に変更する。あるいは、１つの例としては、地図に表示される地域と閲覧者が居住する地域を比較する方法である。撮影者は自分だけでなく、ゲストの個人情報として居住地域を画像管理装置１００に予め記憶しておく。画像管理装置１００はログイン認証したユーザの居住地域を取得し、撮影場所の中心位置から所定の範囲に含まれるか否かを判定する。または、例えば、地図に表示される地域が閲覧者の居住する国と一致しているか否か、あるいは、更に詳細な地域レベル（日本であれば県、市、町など）で比較して判定する。ユーザの居住地域が所定の範囲外の場合に縮尺の初期値を小さな値に変更する。ユーザが居住している地域であれば周辺の地理を知っている可能性が高いので、詳細な地図が表示された方が便利であると考えられる。なお、ここで、撮影者であれば、居住地域に関係なく、縮尺の初期値を大きな値のままにおいてもよい。また、ユーザが居住する地域については、Ｗｅｂページにアクセスする時のアクセス元のＩＰアドレスから地域を判定する方法もある。
【００６２】
なお、上述した実施形態では、画像管理装置１００と地図管理装置２０１とがそれぞれ別体として構成された例を説明したが、画像管理装置１００が地図管理装置２０１を兼ね備えて一体構成としてもよい。
【００６３】
以上説明したように、本実施形態によれば、地図に表示された地域に不案内である可能性が高いゲストに対しては、撮影者に比べて縮尺の小さな地図を表示することにより、閲覧者に応じて適切な縮尺の地図を表示できる。
【００６４】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005921233.tif 000002
【図２】
0005921233.tif 000003
【図４】
0005921233.tif 000004
【図５】
0005921233.tif 000005
【図３】
0005921233.tif 000006
【図６】
0005921233.tif 000007
【図７】
0005921233.tif 000008